(57)【要約】【課題】本発明は、地紋印刷やベタ印刷に継ぎ目跡Ａが生じる印刷版を使った印刷機で地紋印刷やベタ印刷が施されていても、プリンタで可変情報を印字後にカットして表示タグを切り離した際には、地紋印刷やベタ印刷に継ぎ目跡Ａが存在しない高品質な表示タグを得ることができる表示タグ連続体を提供することを課題とする。【解決手段】表示タグ連続体１は、製造する表示タグの形状に応じたコの字状のプリカット２が形成された表示タグが連続する長尺紙であり、プリカット２は、プリンタのカット機構によってカットされる一辺のみを残して表示タグの形状にカットされている。プリカット２は、連続する表示タグの間に地紋印刷やベタ印刷の継ぎ目跡Ａが配置されるように形成されており、カット機構によってカット位置でカットすることにより、表示タグに継ぎ目跡Ａが含まれることなく切り離すことができる。【選択図】        図１
2004151436.tif 000002
【特許請求の範囲】
【請求項１】
印刷版の継ぎ目跡が生じる地紋印刷又はベタ印刷が施され、カット機構による１回のカットで１枚の表示タグが切り離される表示タグ連続体であって、
前記カット機構によってカットされる１辺のみを切り残して前記表示タグの形状にカットされたプリカットが、連続する前記表示タグの間に前記地紋印刷又はベタ印刷の継ぎ目跡が位置するように連続的に形成されていることを特徴とする表示タグ連続体。
【請求項２】
前記プリカットの切り残し部分が巻出し方向の前方側に位置するようにロール状に巻回されていることを特徴とする請求項１記載の表示タグ連続体。
【発明の詳細な説明】
【０００１】
【発明の属する技術分野】
本発明は、表示タグが連続して連なっている表示タグ連続体に関し、特に輪転印刷機や間欠輪転印刷機を用いて地紋印刷やベタ印刷が施されている表示タグ連続体に関する。
【０００２】
【従来の技術】
従来、衣料品には、商品名、価格、サイズ、ロッド番号等を印字した表示タグと呼ばれるものが取り付けられている。特にブランド品に付される表示タグ（以下、ブランドタグと称す）は、商品名、価格、サイズ等の可変情報が印字されているだけでなく、高級感を付与するために、背景にデザインや社名、ブランド等の固定情報である地紋印刷やベタ印刷が施され、強調されている。
【０００３】
背景に地紋印刷やベタ印刷が施された表示タグは、固定情報である地紋印刷やベタ印刷が施された長尺紙を表示タグ連続体として商品の製造現場や商品の販売現場等に設置されたプリンタに装填し、プリンタで商品名、価格、サイズ等の可変情報を印字した後に、プリンタのカッター機構によってカットされる。
【０００４】
図３は、従来の表示タグ連続体の構成を示す図である。
長尺紙への地紋印刷やベタ印刷は、地紋印刷やベタ印刷を高速で印刷できることから輪転印刷機や間欠輪転印刷機等が使用されるが、輪転印刷機や間欠輪転印刷機では、版シリンダに平板状の版材を巻き付けて円筒状にする構成であるため、継ぎ目（隙間）が形成され、これを用いて印刷した場合、従来の表示タグ連続体４には、図３に示すように、模様中に筋状の継ぎ目跡Ａが発生してしまう。このような従来の表示タグ連続体４をプリンタに装填して可変情報の印字とカットとを行った場合には、継ぎ目跡Ａをカット位置にしても表示タグの上下に継ぎ目跡Ａが残ってしまい、製造された表示タグは、見栄えが悪いものになってしまう。なお、輪転印刷機での継ぎ目の出ない版として、ドラムに版を製作する方法でエンドレス版が存在するが、製作時間が掛かり高額となる。
【０００５】
そこで、本出願人は、高品質な地紋印刷やベタ印刷を施した表示タグを効率よく生産できるミシン目入り表示タグの製造方法を提供することを目的とし、印刷された継ぎ目跡Ａの箇所に一致させてミシン目を形成し、継ぎ目跡Ａを目立たなくさせることを提案している（例えば、特許文献１参照。）。
【０００６】
【特許文献１】
特開２００１−２３２７６０（第１図）
【０００７】
【発明が解決しようとする課題】
しかしながら、従来技術では、ミシン目入り表示タグにおいては有効な方法であるが、ミシン目が入らない表示タグでは、依然として地紋印刷やベタ印刷に生じる継ぎ目跡Ａが表示タグの見栄えを悪くしてしまい、根本的な解決には至っていないという問題点があった。
【０００８】
本発明は斯かる問題点を鑑みてなされたものであり、その目的とするところは、地紋印刷やベタ印刷に継ぎ目跡Ａが生じる印刷版を使った印刷機（例えば、輪転印刷機、間欠輪転印刷機、平版印刷機等）で地紋印刷やベタ印刷が施されていても、プリンタで可変情報を印字後にカットして表示タグを切り離した際には、地紋印刷やベタ印刷の継ぎ目跡Ａが存在しない高品質な表示タグを得ることができる表示タグ連続体を提供する点にある。
【０００９】
【課題を解決するための手段】
本発明は上記課題を解決すべく、以下に掲げる構成とした。
請求項１記載の発明の要旨は、印刷版の継ぎ目跡が生じる地紋印刷又はベタ印刷が施され、カット機構による１回のカットで１枚の表示タグが切り離される表示タグ連続体であって、前記カット機構によってカットされる１辺のみを切り残して前記表示タグの形状にカットされたプリカットが、連続する前記表示タグの間に前記地紋印刷又はベタ印刷の継ぎ目跡が位置するように連続的に形成されていることを特徴とする表示タグ連続体に存する。
また請求項２記載の発明の要旨は、前記プリカットの切り残し部分が巻出し方向の前方側に位置するようにロール状に巻回されていることを特徴とする請求項１記載の表示タグ連続体に存する。
【００１０】
【発明の実施の形態】
以下、本発明の実施の形態を図面に基づいて詳細に説明する。
【００１１】
図１は、本発明に係る表示タグ連続体の実施の形態の構成を示す図であり、図２は、本発明に係る表示タグ連続体を製造する印刷装置の構成を示す図である。
【００１２】
本実施の形態の表示タグ連続体１は、図１を参照すると、デザインや社名、ブランド等の固定情報である地紋印刷やベタ印刷が施されていると共に、表示タグの形状に応じたコの字状のプリカット２が形成された表示タグが連続する長尺紙であり、商品名、価格、サイズ等の可変情報を印字するプリンタ（図示せず）によって可変情報を印字し、可変情報の印字後、プリンタのカット機構（図示せず）によって、図１に点線で示すカット位置をカットすることにより、表示タグが切り離される構成となっている。
【００１３】
プリカット２は、図１を参照すると、一対の横カットと、１辺の縦カットからなり、プリンタのカット機構によってカットされる一辺のみを残して表示タグの形状にカットされている。一対の横カットは、表示タグの横幅以上の長さにカットされ、１辺の縦カットは、表示タグの縦幅と同じ長さにカットされている。従って、プリンタのカット機構による１回のカットで１枚の表示タグが切り離される。
【００１４】
地紋印刷やベタ印刷は、継ぎ目が存在する印刷版を使った印刷装置（例えば、輪転印刷機、間欠輪転印刷機、平版印刷機等）によって施されたものであり、継ぎ目跡Ａが生じているが、図１に示すように、連続する表示タグの間に継ぎ目跡Ａが配置されるようにプリカット２が形成されている。従って、プリンタのカット機構（図示せず）によって、図１に点線で示すカット位置をカットすることにより、表示タグに継ぎ目跡Ａが含まれることなく切り離すことができる。
【００１５】
また、表示タグ連続体１の各表示タグには、糸通し孔３が形成されており、表示タグ連続体１が装填されるプリンタでは、糸通し孔３を位置検出用の目印（タイミングマーク）として光電センサで検出して印字位置やカット位置を決定することができる。なお、糸通し孔３の代わりに、表示タグ連続体１の裏面等に黒インキ等によるタイミングマークを印刷するようにしても良い。
【００１６】
なお、図１には、長方形の表示タグの例を示したが、表示タグの形状は、長方形に限らず、様々な形状の表示タグに適用される。すなわち、表示タグ連続体１が装填されるプリンタでカットされる一辺のみを切り残してプリカット２が形成されていれば良いため、プリカット２の形状を変更することにより様々な形状の表示タグに対応することができる。
【００１７】
表示タグ連続体１の表示タグの部分は、継ぎ目跡Ａが存在しない連続模様の地紋印刷やベタ印刷が施された長尺紙となっているため、表示タグ連続体１を巻回したロール物として流通させることができ、カッター機構を備えたプリンタにロール状の表示タグ連続体１を装填して用いることができる。なお、表示タグ連続体１をロール物とした場合には、プリカット２の切り残しが巻出し方向、すなわちプリンタによる搬送方向の前方側になるように巻回すと、プリンタにおいてサーマルヘッド等の印字部に引っ掛からないように搬送することができるため、好適である。
【００１８】
図２には、本実施の形態の表示タグ連続体１を製造する印刷装置１０が示されている。印刷装置１０は、ロール紙１１が取り付けられる給紙ロール１２と、ロール紙１１に地紋印刷やベタ印刷を施す印刷部１３と、表示タグの形状に応じてロール紙１１にプリカット２を形成すダイカット部１４と、プリカット２が連続的に形成されたロール紙１１を表示タグ連続体１として巻取る巻き取りロール１５とからなる。なお、ロール紙１１は、表示タグの縦幅よりも広い幅のものが使用される。
【００１９】
給紙ロール１２から巻出されたロール紙１１は、まず、印刷部１３によって地紋印刷やベタ印刷が施される。なお、印刷部１３は、版に継ぎ目が存在し、地紋印刷やベタ印刷する際に、継ぎ目跡Ａが生じる印刷版を使った印刷機（例えば、輪転印刷機、間欠輪転印刷機、平版印刷機等）であり、このような印刷機では、安価な版を使用することができるため、表示タグ連続体１の製造コストを低減することができる。
【００２０】
次に、ダイカット部１４でプリカット２を連続的に形成した後、地紋印刷やベタ印刷が施され、プリカット２が連続的に形成されたロール紙１１が表示タグ連続体１として巻き取りロール１５に巻き取られる。
【００２１】
なお、印刷装置１０による表示タグ連続体１の製造に際し、事前に糸通し孔３等の位置検出用の目印（タイミングマーク）が存在するロール紙１１を使用する場合には、位置検出用の目印を光電センサで検出して印刷部１３による地紋印刷やベタ印刷の印刷位置およびダイカット部１４によるプリカット２の形成位置を決定するようにすれば良く、糸通し孔３等の位置検出用の目印が存在しないロール紙１１を使用する場合には、印刷部１３による地紋印刷やベタ印刷の印刷位置に対応する位置検出用の目印を何らかの手段（他に設けられた印字手段等）によってロール紙１１に印刷し、当該位置検出用の目印を光電センサで検出してダイカット部１４によるプリカット２の形成位置を決定するようにすれば良い。
【００２２】
以上説明したように、本実施の形態によれば、連続する表示タグの間に地紋印刷やベタ印刷の継ぎ目跡Ａが配置されるように、プリンタによってカットされる一辺のみを切り残して表示タグの形状にカットされたプリカット２を連続的に形成することにより、地紋印刷やベタ印刷に継ぎ目跡Ａが生じる印刷版を使った印刷機（例えば、輪転印刷機、間欠輪転印刷機、平版印刷機等）で地紋印刷やベタ印刷が施されていても、プリンタで可変情報を印字後にカットして表示タグを切り離した際には、地紋印刷やベタ印刷に継ぎ目跡Ａが存在しない高品質な表示タグを得ることができるという効果を奏する。
【００２３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００２４】
【発明の効果】
本発明の表示タグ連続体は、連続する表示タグの間に地紋印刷やベタ印刷の継ぎ目跡が配置されるように、プリンタによってカットされる一辺のみを切り残して表示タグの形状にカットされたプリカット２を連続的に形成することにより、地紋印刷やベタ印刷に継ぎ目跡が生じる印刷版を使った印刷機（例えば、輪転印刷機、間欠輪転印刷機、平版印刷機等）で地紋印刷やベタ印刷が施されていても、プリンタで可変情報を印字後にカットして表示タグを切り離した際には、地紋印刷やベタ印刷に継ぎ目跡Ａが存在しない高品質な表示タグを得ることができるという効果を奏する。
【図面の簡単な説明】
【図１】本発明に係る表示タグ連続体の実施の形態の構成を示す図である。
【図２】本発明に係る表示タグ連続体を製造する印刷装置の構成を示す図である。
【図３】従来の表示タグ連続体の構成を示す図である。
【符号の説明】
１  表示タグ連続体
２  プリカット
３  糸通し孔
１０  印刷装置
１１  ロール紙
１２  給紙ロール
１３  印刷部
１４  ダイカット部
１５  巻き取りロール
Ａ  継ぎ目跡
【図１】
2004151436.tif 000003
【図２】
2004151436.tif 000004
【図３】
2004151436.tif 000005